(57)【特許請求の範囲】
【請求項１】
楽器のためのケースであって、楽器を収容するための施錠可能な１つのケース本体（１１）と、少なくとも１つ、有利には２つの肩ベルト（１２，１３）とが設けられており、該肩ベルト（１２，１３）が前記ケース本体（１１）の外側で上方取付点（１４，１５）と下方取付点（１６，１７）とに取り付けられていて、前記肩ベルト（１２，１３）が、少なくとも前記上方取付点（１４，１５）に向けられた端部（１８，１９）に、前記肩ベルト（１２，１３）を解除可能に取り付けるための接続装置（２０，２１）を有している形式のものにおいて、
カバークッション（２２，２３）が、前記接続装置（２０，２１）の少なくとも一部を覆うように前記ケース本体（１１）に配置されおり、前記上方取付点（１４，１５）の肩ベルト（１２，１３）取付位置の下方において前記カバークッション（２２，２３）が第１の端部（２４）で前記ケース（１１）に固定されており、かつ前記カバークッション（２２，２３）が自由端部（２５）を有しており、該自由端部（２５）が、前記ケース（１１）から前記肩ベルト（１２，１３）を取り外した状態で前記ケース（１１）に平行して固定可能であり、その結果、前記接続装置（２０，２１）のケース側部分が、前記ケース（１１）と前記カバークッション（２２，２３）との間で覆われるようになっていることを特徴とする、楽器のためのケース。
【請求項２】
前記肩ベルト（１２，１３）の上方取付点（１４，１５）に設けられた前記接続装置（２０，２１）が、前記ケース本体（１１）に設けられた環（２９）と前記肩ベルト（１２，１３）の上方端部（１８，１９）に設けられたカラビナ（３０）とを有している、請求項１記載のケース。
【請求項３】
前記肩ベルト（１２，１３）にそれぞれ１つのカバークッション（２２，２３）が対応している、請求項１または２記載のケース。
【請求項４】
前記カバークッション（２２，２３）を、前記上方端部（１８，１９）を覆った状態で前記ケース（１１）に対して平行に固定するために、前記カバークッション（２２，２３）の自由端部（２５）に固定装置、特に付着部材（２６）が、かつ該固定装置に相応して前記ケース（１１）に固定装置、特に付着部材（２７）が配置されている、請求項１から３までのいずれか１項記載のケース。
【請求項５】
前記カバークッション（２２，２３）の自由端部（２５）をずれないように前記肩ベルト（１２，１３）に固定するために、前記カバークッション（２２，２３）の自由端部（２５）に固定装置特に付着部材（２６）が設けられていて、また該固定装置に対応して前記肩ベルト（１２，１３）の内側に付着部材（２８）が設けられている、請求項１から４までのいずれか１項記載のケース。
【発明の詳細な説明】
【０００１】
【発明の属する技術分野】
本発明は、楽器、特にギターのためのケースであって、楽器を収容するための施錠可能な１つのケース本体と、少なくとも１つ、有利には２つの肩ベルトとが設けられており、該肩ベルトが前記ケース本体の外側で上方取付点と下方取付点とに取り付けられていて、前記肩ベルトが、少なくとも前記上方取付点に向けられた端部に、前記肩ベルトを解除可能に取り付けるための接続装置を有している形式のものに関する。
【０００２】
【従来の技術】
楽器、特にギター、例えばベースギターを搬送するために鞄またはトランクケースが汎用されている。これらの鞄またはトランクケースは肩に担いで比較的快適に搬送することができる。肩ベルトは様々な理由からたいてい解除可能に取付られていて、したがって必要に応じて取り外すことができる。このために接続装置が肩ベルトとケース本体との間に設けられている。この接続装置は例えば環とカラビナとを有していてよい。
【０００３】
しかし接続部材、特にカラビナ、バックル、フックまたはこれに類するものは、楽器を肩に担いで搬送する場合に不都合に作用し、不快な締め付け箇所として使用者の肩の領域を煩わす。
【０００４】
【発明が解決しようとする課題】
本発明の課題は、肩ベルトが取外し可能であるにもかかわらず、著しく快適に搬送することのできる、楽器のためのケースを提供することである。
【０００５】
【課題を解決するための手段】
この課題を解決するために本発明では、カバークッションが、接続装置の少なくとも一部を覆うようにケース本体に配置されているようにした。
【０００６】
有利な別の構成は請求項２以下に記載されている。
【０００７】
【発明の効果】
本発明の中心思想は、接続装置の一部を覆うようにカバークッションをケースまたは肩ベルトに配置することにある。このような手段によって、接続装置により加えられる圧力は緩衝され、かつ大きな面に分配される。カバークッションは使用者の肩領域において著しく均等に負荷を分配する。
【０００８】
本発明はギターのケースに限るものではなく、肩に担いで搬送したい各種の楽器、例えばキーボードまたは別の鍵盤楽器、ドラム（打楽器）、金管楽器、吹奏楽器、アコーディオン、ミキサ等のためのケースにも使用される。
【０００９】
有利な構成として上方取付点における接続装置はケース本体に設けられた環と肩ベルトの上方端部に設けられたカラビナとを有している。この構成では一方で肩ベルトを簡単に着脱することができ、他方でこのような形式の接続装置によって与えられる搬送の快適さに対する不都合な影響をカバークッションによって実際に完全に取り除くことができる。
【００１０】
特に有利な構成として上方取付点の領域においてカバークッションの第１端部がケース本体に永続的に固定されている。カバークッションの自由端部は肩ベルトをケース本体から取り外した場合に、接続装置のケース側部分、例えば金属製の環を、上述したようにケース本体とカバークッションとの間で覆うように、ケース本体に対して平行に取り付けられる。この有利な構成ではカバークッションは２重の機能を果たす。一方ではカバークッションは搬送の際に使用者の肩領域と接続装置との間に位置する。他方ではカバークッションは１８０゜旋回した位置で上方の接続装置のケース側部分を覆うので、楽器のためのケースは不都合な接触点を生ぜしめない。
【００１１】
有利な改良形態ではカバークッションの自由端部を付着部材を用いて、適当な付着部材が相応して配置されたケース本体に固定することができる。この付着部材によってカバークッションを楽に所望の位置に固定することができる。さらにこれらの付着部材は比較的柔軟で軽い固定部材である。
【００１２】
ケースの搬送の際にカバークッションと肩ベルトとの間の相対運動を避けるために有利には自由端部の付着部材は相応して配置された肩ベルトの付着部材も固定できる。これにより保護したい位置からのカバークッションのずれは肩ベルトの下方において防止される。
【００１３】
【発明の実施の形態】
次に本発明の実施形態を図面に示した１実施例に基づいて詳説する。
【００１４】
図１には楽器（図面ではギターまたはベースギター）のためのケースが示されている。この楽器のためのケースはギターまたはベースギターを収容するための施錠可能な１つのケース本体１１と２つの肩ベルト１２，１３とを有している。これらの肩ベルト１２，１３を用いて一種のリュックサックの形式でケースを肩に担ぐことができる。これにより重い楽器を搬送することも著しく容易になる。肩ベルト１２，１３はそれぞれ、ケース本体１１に設けられた上方取付点１４，１５と下方取付点１６，１７とに着脱可能に固定されている。リュックサックの場合も通常そうであるように、図示した実施形態では両上方取付点１４，１５は両下方取付点１６，１７より互いに近くに位置している。肩ベルト１２，１３は薄い区分３１とクッションが付けられた厚い区分３２とを有している。クッションが付けられた区分３２はそれぞれ上方領域のために上方取付点１４，１５に向けられて設けられている。これに対して薄い区分３１はそれぞれ下方取付点１６，１７に向けられて、クッションが付けられた区分３２に隣接している。
【００１５】
有利には肩ベルト１２，１３がその長さを調節できるように構成されているので、肩ベルト１２，１３を各使用者の解剖学的構造に最適に合わせることができる。この長さ調節可能な部材（図示せず）を特に、薄い区分領域に構成するとよい。考えられ得る実施形態において、この薄い区分３１は２部分から構成されていて、ベルト用バックルの形式のこれら２つの部分の間に位置するバックルで長さを調節することができる。
【００１６】
肩ベルト１２，１３の、上方取付点１４，１５に向けられた上方端部１８，１９には接続装置２０，２１が配置されている。ここではこれらの接続装置２０，２１は、ケース側にそれぞれ１つの金属製の環２９を、かつ肩ベルト１２，１３にそれぞれ１つのカラビナ３０を有している。下方取付点１６，１７のために適当な環３３，３４とカラビナ３５，３６とが設けられている。これらの環２９，３３，３４をU字形に折り返された繊維製の取付具３７，３８に縫い込み、この繊維製の取付具３７，３８をケース本体１１に縫付け固定することによって、ケース本体１１に取り付けることができる。
【００１７】
繊維製の取付具３７，３８の下方で上方取付点１４，１５の領域において各１つのカバークッション２２，２３の第１端部２４がケース本体１１に固定されている（有利には縫付け固定される）。この第１端部２４とは反対側の、カバークッション２２，２３の自由端部２５を、異なる２つの位置に移動させることができる。第１の位置では自由端部２５はケース本体１１の下方取付点１６，１７に向けて方向付けられており、その結果、カバークッション２２は、接続装置２０とケース本体１１との間に置かれるような形式で、環２９とカラビナ３０とを有する接続装置２０を覆う。カバークッション２２がこの位置からずれることがないようにカバークッション２５は自由端部２５に付着部材２６を有している。この付着部材２６を、これに対応して配置された、肩ベルト１２，１３の付着部材２８に固定できる。
【００１８】
カバークッション２２の自由端部２５を肩ベルト１２の付着部材２８に固定することは図２の詳細図からも見てとれる。図２に示したように両付着部材２６，２８は、カバークッション２２が肩ベルト１２に負荷がかかった状態で肩ベルト１２に固定可能であるように配置されているので、これによって肩ベルト１２に対する相対的なカバークッション２２のずれは防止される。
【００１９】
図３には、カバークッション２２を第２の位置に旋回させる、すなわち下方取付点１６，１７とは反対に向けることによって得られる、カバークッション２２の別の機能が示されている。この第２の位置ではカバークッション２２，２３は図１に示した位置に対して約１８０゜旋回させられていて、カバークッション２２，２３の前述した付着部材２６は、ケース本体１１の適当な位置に配置された付着部材２７に押し当てられ、これにより着脱可能にこの位置に固定されている。カバークッション２２，２３はこの位置では同時に接続装置２０，２１の一部、本実施例では金属製の環２９も覆っている。したがってこれらの金属製の環２９が損傷することがなくなるか、またはどこかへの意図しない引っかかりもなくなる。
【００２０】
上述した改良形態によって、製造コストまたはケース全体の重量を著しく高めることなく楽器のためのケースを搬送する際の快適さを著しく高めることができる。
【図面の簡単な説明】
【図１】本発明の１実施例に基づく楽器のためのケースの概略図である。
【図２】図１による実施例を説明するための詳細図である。
【図３】肩ベルトを取り外し、カバークッションを折り返した状態の、図１に基づいた実施例の概略図である。
【符号の説明】
１１  ケース、  １２，１３  肩ベルト、  １４，１５  上方取付点、１６，１７  下方取付点、  １８，１９  上方端部，  ２０，２１  接続装置、  ２２，２３  カバークッション、  ２４  第１端部、  ２５  自由端部、  ２６，２７，２８  付着部材、  ２９  環、  ３０  カラビナ、  ３１  薄い区分、  ３２  クッションが付けられた区分、  ３３，３４  環、  ３５，３６  カラビナ、  ３７，３８  繊維製の取付具
【図１】
0003764631.tif 000002
【図２】
0003764631.tif 000003
【図３】
0003764631.tif 000004